(57)【要約】      （修正有）【課題】簡易な一方向クラッチと、絞ろうとする場所に置くだけで絞り器を固定する必要がなく、また、片手で操作することができ、さらに任意の長さの対象物を絞ることができる回転式の片手絞り器を提供する。【解決手段】架台９の一方の端部両側に立設する一対のスタンド１０と、このスタンドに設けられた軸受け１３、１４に保持されて、絞り対象物を挟むことができる、第一および第二の２本のローラとを備え、第一のローラ１１は架台側より挟み込まれた絞り対象物を架台の外側に移動させる方向にのみ回転する簡易な一方向クラッチを軸受けに有し、第二のローラ１２は第一のローラの下方に配置されて絞り対象物と共に第一のローラに従動回転し、第一のローラが一方向クラッチの主軸に固定されている。【選択図】図３
2015038370.tif 000002
【特許請求の範囲】
【請求項１】
外輪と、この外輪内周面に相対向して配置される主軸とを有し、この主軸外周面の軸方向に、径方向断面が楔型となる楔隙間を少なくとも３個形成し、この楔隙間にそれぞれ係合子を挿入して、この係合子を楔係合・離脱させることによって、前記外輪および前記主軸間のロック・ロック解除を切換える一方向クラッチであって、
前記係合子を楔係合方向に付勢する弾性部材を設けることなく、前記外輪の径方向にラジアル荷重を印加する手段を設けることを特徴とする一方向クラッチ。
【請求項２】
架台と、この架台の一方の端部両側に立設する一対のスタンドと、このスタンドに設けられた軸受けに保持されて、絞り対象物を挟むことができる、第一および第二の２本のローラとを備え、
前記第一のローラは架台側より挟み込まれた絞り対象物を架台の外側に移動させる方向にのみ回転する一方向クラッチを軸受けに有し、前記第二のローラは第一のローラの下方に配置されて前記絞り対象物が移動すると共に前記第一のローラに従動回転し、前記一方向クラッチが請求項１記載の一方向クラッチであり、前記第一のローラが前記一方向クラッチの主軸に固定されていることを特徴とする片手絞り器。
【請求項３】
前記一方向クラッチの外輪を揺動回転させるレバーを有し、このレバーを前記架台方向に押し下げることにより、前記絞り対象物を前記架台側より架台の外側に移動させることを特徴とする請求項２記載の片手絞り器。
【発明の詳細な説明】
【技術分野】
【０００１】
本発明は、一方向クラッチおよびこの一方向クラッチを組み込んだ片手絞り器に関し、特にふきん、ぞうきん、手拭い、タオル等を片手で簡単に絞ることのできる回転式の片手絞り器に関する。
【背景技術】
【０００２】
一方向クラッチは駆動側部材の一方向の回転のみを被駆動側部材に伝達するための装置である。例えば、外輪の内径面に複数のカム面を設け、各カム面と内輪の円筒形外面間に形成された楔形空間内にローラと、そのローラを楔形空間の狭小部に向けて押圧するばね定数が異なる２種類以上のばねを組み込んだ一方向クラッチが知られている（特許文献１）。
このような一方向クラッチは、ローラを楔形空間の狭小部に向けて押圧するばねが必須であり、構造的に価格が大となって安価で簡易な装置に一方向クラッチを組み込むことは困難であった。
【０００３】
一方、片手が不自由な人、年齢的あるいは身体的要因により握力が弱くなっている人、または手指が使いにくい人などは、両手を使える人に比較して、ふきん、ぞうきん、手拭い、タオル、ハンケチなど日常的に絞る動作が多いこれらふきんなどの絞り作業が非常に困難である。
【０００４】
ふきんなどの絞り作業を容易にする自助具として、例えば、コの字型架台の底部を固定するための吸着盤と、架台の一方の端部に回転できる羽根式ハンドルと、他方の端部に固定部とを有する絞り器が知られている（非特許文献１）。この絞り器は、羽根式ハンドルにふきんなどの中央部を掛け、他方の端部に掛けられたふきんなどの端を固定して、羽根式ハンドルを回転することによりふきんなどを絞る。この絞り器は、部品点数が少ないという利点がある。
【０００５】
しかし、この絞り器は、「取付面に対して平行になるようにセットし、シンクや受け皿等に吸着盤で確実にセットして下さい。しっかりと固定されていない場合、転倒して怪我の原因になります。」と取り扱い上の注意点に記載されているように、取付面に固定する必要がある。また、絞られる布などの長さに制限がある。さらにふきんなどのセットに熟練を要したり、絞り器の固定が片手で簡単にできたりしないという問題がある。
【０００６】
片手で雑巾やタオルを絞る絞り器として、円筒形網籠の中にふきんなどを入れ、押し出し棒で圧縮した後、グリップレバーで内容物を更に圧縮して絞る絞り器が知られている（非特許文献２）。
しかし、この絞り器は円筒形網籠の大きさで絞る対象物が決まるため、最も大きな対象物に合わせるか、あるいはタオル用、ハンケチ用とそれぞれ用途に合わせて円筒形網籠を用意しなければならないという問題がある。また、押し出し棒で圧縮するため絞り器を取付面に固定する必要があるという問題がある。
【０００７】
片手で操作できる絞り器として、タオルを投入する容器の中空真円の円筒からなる円筒容器機構と、タオルを加圧する押圧棒機構と、円筒が縦立時に円筒の底板とストレーナーとを兼有する濾過機構と、縦立の円筒部をタオル取出位置まで斜倒させる回転機構とを主な構成とするタオル脱水器が知られている（特許文献２）。
しかしこのタオル脱水器は押圧棒機構でタオルを押圧するのにかなりの力を要し、握力が弱くなっている人などには操作が困難である。
【先行技術文献】
【特許文献】
【０００８】
【特許文献１】特開平９−１４３０１
【特許文献２】特許公開２００６−２９６５４７
【非特許文献】
【０００９】
【非特許文献１】http://ns.sandankyo.com/shibottaro/shibottaro2012-2.pdf
【非特許文献２】http://www9.plala.or.jp/kaigoideakoubou/zoukinn.html
【発明の概要】
【発明が解決しようとする課題】
【００１０】
本発明は、上記問題に対処するためになされたもので、簡易な装置に組み込むことができる一方向クラッチの提供を目的とする。また、この一方向クラッチを組み込むことにより、単に絞ろうとする場所に置くだけで絞り器を固定する必要がなく、また、片手で操作することができ、さらに任意の長さの対象物を絞ることができる回転式の片手絞り器の提供を目的とする。
【課題を解決するための手段】
【００１１】
本発明の一方向クラッチは、外輪と、この外輪内周面に相対向して配置される主軸とを有し、この主軸外周面の軸方向に、径方向断面が楔型となる楔隙間を少なくとも３個形成し、この楔隙間にそれぞれ係合子を挿入して、この係合子を楔係合・離脱させることによって、上記外輪および主軸間のロック・ロック解除を切換える一方向クラッチであって、上記係合子を楔係合方向に付勢する弾性部材を設けることなく、上記外輪の径方向にラジアル荷重を印加する手段を設けることを特徴とする。
【００１２】
本発明の片手絞り器は、架台と、この架台の一方の端部両側に立設する一対のスタンドと、このスタンドに設けられた軸受けに保持されて、絞り対象物を挟むことができる、第一および第二の２本のローラとを備え、
上記第一のローラは架台側より挟み込まれた絞り対象物を架台の外側に移動させる方向にのみ回転する上記一方向クラッチを軸受けに有し、上記第二のローラは第一のローラの下方に配置されて絞り対象物が移動すると共に第一のローラに従動回転し、上記第一のローラが上記一方向クラッチの主軸に固定されていることを特徴とする。
また、片手絞り器は、上記一方向クラッチの外輪を揺動回転させるレバーを有し、このレバーを上記架台方向に押し下げることにより、上記絞り対象物を架台側より架台の外側に移動させることを特徴とする。
【発明の効果】
【００１３】
本発明の一方向クラッチは、係合子を楔係合方向に付勢する弾性部材を設けることなく、上記外輪の径方向にラジアル荷重を印加する手段を設けることにより、一方向クラッチの組み立てが容易になり、弾性部材を設けないので小型にできると共に安価でかつ耐久性に優れる。
本発明の片手絞り器は、上記一方向クラッチが組み込まれた第一のローラと、このローラに従動回転する第二のローラとの間に絞り対象物を挟むので、小型、軽量で脱水能力が優れている。また、上記一方向クラッチにより片手操作が可能で押すだけでタオルなどを容易に脱水できる。さらに上記一方向クラッチの作用により片手絞り器を固定する必要がなく設置および移動が簡単であり、ローラ式であるので任意の長さの絞り対象物を絞ることができる。
【図面の簡単な説明】
【００１４】
【図１】一方向クラッチの組み立て斜視図である。
【図２】一方向クラッチの作動原理を示す図である。
【図３】片手絞り器の斜視図である。
【図４】片手絞り器を出口天板方向からみた斜視図である。
【図５】片手絞り器の主要部を示す断面図である
【図６】片手絞り器の効果を示す図である。
【発明を実施するための形態】
【００１５】
本発明の一方向クラッチを図１および図２により説明する。図１は一方向クラッチの組み立て斜視図であり、図２（ａ）〜図２（ｃ）は一方向クラッチの作動原理を示す図である。
一方向クラッチ１は、外輪２と主軸３と係合子４とから構成されている。外輪２は樹脂製の外輪２ａおよびこの樹脂製の外輪に内接して固定されている金属製の外輪２ｂとからなる。金属製外輪２ｂは、後述する作動原理において説明するように、楕円変形し易くするために比較的肉厚さを薄くしてある。金属に比較して変形し易い樹脂製の外輪２ａと金属製外輪２ｂとが結合し、外輪２としての楕円変形を可能にしている。
【００１６】
主軸３は外輪２の内周面に相対向して挿入されている。主軸３の挿入されている外周面には、径方向断面が楔型となるカム３ａが円周方向に等間隔で６個形成され、主軸３の外周面と外輪２の内周面とで楔隙間５が形成されている。この楔隙間５のそれぞれに係合子４であるコロが軸方向に平行に挿入されている。楔隙間５は、主軸３のカム面３ｂが円周方向中央部に深く、そこから外輪２の内周面方向に向かって傾斜状に浅くなっている。主軸３と外輪２とが相対的に回転することにより、係合子４が楔隙間５内を移動して、その深い部分で楔離脱し、浅い部分で楔係合することにより、外輪２および主軸３間をロックすること、またはロック解除（空転）を切換えることができる。係合子としては、円形断面のコロ、ローラまたはボール等が使用できる。なお、楔隙間５は主軸３と外輪２とが略同心に保持できるように、少なくとも３個形成されていればよい。
【００１７】
本発明の一方向クラッチ１を作動させるためには、係合子を楔係合方向に付勢する弾性部材を設けていないので、外輪２の径方向にラジアル荷重を印加する手段を設ける必要がある。図２において、この手段が外輪２を回転させるためのレバー６とレバー戻り用バネ７により構成される。レバー戻り用バネ７は架台９に一方の端部が固定され、他方の端部が外輪２の外周近傍に固定され、レバー６の押え方向Ａに対抗して外輪２を回転させる方向に付勢されている。
【００１８】
図２（ａ）に示すように、レバー６が押え方向Ａに押さえられると、外輪２はレバー６の力とバネ７の力により矢印Ｂ方向の力を受ける。その結果、コロ４ａはラジアル荷重を受けてカム面３ｂをＣ方向に転がり、楔隙間５の狭小部に喰い込んでクラッチ機能を生じる。
【００１９】
図２（ｂ）に示すように、コロ４ａが楔隙間５の狭小部に喰い込むと、外輪２全体が矢印Ｄ方向に持ち上がりコロ４ｄもラジアル荷重を受けてクラッチ機能を生じる。
図２（ｃ）に示すように、レバー６をさらに押さえると、コロ４ａおよび４ｄに加わるラジアル荷重が大きくなり、金属製外輪２ｂが楕円変形を生じ、コロ４ｂ、４ｃ、４ｅおよび４ｆもラジアル荷重を受けてクラッチ機能を生じる。金属製外輪２ｂが楕円変形を生じると、金属よりも変形し易い樹脂製外輪２ａも楕円変形を生じる。金属製外輪２ｂは楕円変形が生じやすい肉厚さであり、好ましくはコロ径の５０〜１００％の肉厚さが好ましい。
【００２０】
レバー６を矢印Ａと反対側のＡ’方向に押し上げると、外輪２の楕円変形が解消してクラッチ機能が解除され、矢印Ｆ方向において外輪２と主軸３とは自由回転する。すなわち、外輪２と主軸３とは、矢印Ｆ方向には自由回転し、矢印Ｅ方向にはクラッチ機能が生じるので拘束され自由回転しない。
【００２１】
一方向クラッチ１は、従来の一方向クラッチが有する、係合子４を楔係合方向に付勢するバネなどの弾性部材を設けることなく、上述したように、外輪２の径方向にラジアル荷重を印加する手段を設けることにより、クラッチ機能を生じさせることができる。このため、一方向クラッチの組み立てが容易になり、弾性部材を設けないので小型にできると共に安価で耐久性に優れる。
【００２２】
本発明の片手絞り器は、上記一方向クラッチを組み込むことにより、ふきん、ぞうきん、手拭い、タオル等の絞り対象物を回転ローラを用いた簡易な装置で片手で操作できる絞り器である。
【００２３】
図３は片手絞り器の斜視図である。片手絞り器８は架台９の一方の端部両側に立設する一対のスタンド１０、１０’と、この一対のスタンド１０、１０’にそれぞれ設けられた軸受け１３、１４に保持されて、絞り対象物を挟むことができる、第一のローラ１１および第二のローラ１２からなる２本のローラとを備えている。軸受け１３、１４は軸受けのカバー１５によりそれぞれ保護されている。また、２本のローラの前後の架台上には絞り対象物をローラに案内する入口天板９ａおよび絞り対象物の排出を助ける出口天板９ｂが設けられている。
【００２４】
図４は、片手絞り器を出口天板９ｂ側からみた斜視図である。なお、この斜視図において出口天板９ｂは取り外してある。第一のローラ１１は、架台側より挟み込まれた絞り対象物を架台の外側に移動させる方向にのみ回転する一方向クラッチを軸受けに有し、クラッチの外輪２に固定されているレバー６および架台９に固定されたレバー戻り用バネ７が設けられている。また、レバーの先端に握り玉６ａが設けられている。握り玉６ａによりレバーを押さえるときに架台を安定させるため、架台９には架台安定部９ｃが設けられている。
【００２５】
図５は片手絞り器８の主要部を示す断面図である。一対のスタンド１０、１０’には一対の軸受け１３ａ、１３ｂおよび１４ａ、１４ｂがそれぞれ設けられ、この軸受け１３ａ、１３ｂに第一のローラ１１が、軸受け１４ａ、１４ｂに第二のローラ１２がそれぞれ保持されている。１５は軸受け１３、１４のカバーである。なお、軸受け１３ａとカバー１５とは一体としてもよい。また、軸受け１４ａとカバー１５とは同様に一体としてもよい。
【００２６】
ローラ１１およびローラ１２のローラ外周は挟み込まれた絞り対象物により弾性変形できるゴム、樹脂製である。また、ローラ１１およびローラ１２のローラ外周面は、ローラの軸方向に平行または斜め方向に溝を設けてもよい。これら溝により絞り対象物がローラ間に喰い込まれやすくなる。また、軸受けに保持されるローラ主軸１１ａおよび１２ａは金属製である。一方向クラッチ１の主軸３と第一のローラ１１のローラ主軸１１ａとは、キー１６により固定されている。
【００２７】
クラッチの外輪に固定されているレバー６を図面手前側に移動させる（図２においてＡ方向に移動）ことにより金属製の外輪２ｂと主軸３との間で係合子４であるコロが楔契合して外輪２とローラ１１とが固定される。また、レバー６を押し上げる（図２においてＡ’方向に移動）と楔契合が解除して、外輪２とローラ１１とは自由回転する。このクラッチ機能により、入口天板９ａ側より挟み込まれたタオルなどの絞り対象物を出口天板９ｂ側に移動させることができる。絞り対象物は第一のローラ１１の下方に配置された第二のローラ１２との間に挟みこまれ、第二のローラ１２は第一のローラ１１に従動回転する。その結果、絞り対象物は２つのローラで絞られて出口天板９ｂ側に排出される。
【００２８】
図３に示すレバー６を下側に片手で下側に押さえる操作と、片手で上側に持ち上げる操作とを繰り返す。上側に持ち上げる操作時にはバネ７の付勢力の作用によりレバー６は容易に持ち上がる。この操作を繰り返すことにより絞り対象物を絞ることができる。このように、ふきんなどを絞るための力は常に下側に働く。そのため、本発明の片手絞り器は架台９を調理台や食卓テーブルなどに特に固定する必要がなく、単に載せ置くのみで使用できる。そのため移動も簡単である。また、ローラ式であるので任意の長さの絞り対象物を絞ることができる。
【００２９】
絞り対象物が２つのローラで絞られるときに、絞り対象物の分量によっては過負荷がかかる場合がある。その場合は、例えば、架台９とスタンド１０との固定力を向上させる、第二のローラ１２の軸受け１４ａ、１４ｂに偏芯軸受を採用するなどの手段をとることができる。架台安定部９ｃも過負荷に対応できる。
【００３０】
図３に示す片手絞り器の効果を以下の方法で検証した。家庭用ふきん、普通のタオル（タオルＡ）、大きめのタオル（タオルＢ）をそれぞれ乾燥状態で準備する。これらを水が垂れてこない程度の含水状態とした後、手絞り、本発明の片手絞り器、家庭用洗濯機の回転脱水機を用いて、それぞれ脱水した。乾燥状態および各脱水後の重量を測定して脱水の効果を確認した。なお、手絞りは、６４才女性が両手を用いて絞った結果であり、図６は、順に乾燥状態、含水状態、手絞り後、本発明の片手絞り器で絞った後、回転脱水機を用いて絞った後のそれぞれの重量を示している。結果を図６に示す。図６に示すように、本発明の片手絞り器は回転脱水機に近い脱水効果を示した。
【産業上の利用可能性】
【００３１】
本発明の一方向クラッチは簡易な機構となるので、家庭用、小型設備の一方向クラッチとして利用できる。また、本発明の片手絞り器は上記一方向クラッチを組み込み片手で操作できるので、片手が不自由な人、年齢的あるいは身体的要因により握力が弱くなっている人、または手指が使いにくい人などが利用できる。
【符号の説明】
【００３２】
１      一方向クラッチ
２      外輪
３      主軸
４      係合子
５      楔隙間
６      レバー
７      レバー戻り用バネ
８      片手絞り器
９      架台
１０    スタンド
１１    第一のローラ
１２    第二のローラ
１３    第一のローラの軸受け
１４    第二のローラの軸受け
１５    軸受けのカバー
１６    キー
【図１】
2015038370.tif 000003
【図２】
2015038370.tif 000004
【図３】
2015038370.tif 000005
【図４】
2015038370.tif 000006
【図５】
2015038370.tif 000007
【図６】
2015038370.tif 000008